(57)【要約】【課題】流し読みと固定読みとの相互間の切換に時間を短縮すること。【解決手段】画像読取装置は、プラテンガラスの原稿搬送方向の下流端部１７ｂの位置で、プラテンガラスが原稿搬送部を開放した状態において、プラテンガラスより突出している昇降可能なジャンプ台６１を備えている。この、ジャンプ台６１は、固定読みとのとき、プラテンガラスより突出した状態で、ストッパ６１ｂでプラテンガラスに載置される原稿を受け止めて原稿の位置決めをし、流し読みとのとき、下降した状態で、原稿搬送部によってプラテンガラスに搬送された原稿をガイド６１ｃでプラテンガラスから原稿搬送部の内部に案内するようになっている。このため、原稿を読み取る下流読取ヘッド６は、流し読みの位置を、固定読みの基点とすることができて、流し読みと固定読みとの相互間の切換時に位置を変更する必要が無く、切換時間を短縮することができる。【選択図】図８
2014011684.tif 000002
【特許請求の範囲】
【請求項１】
原稿が載置される原稿載置面を有する原稿載置部と、
前記原稿載置面に対して開閉可能で、閉めた状態で前記原稿載置面に向けて原稿を搬送する原稿搬送部と、
前記原稿載置面に原稿が載置されている場合は、移動しながら、前記原稿載置面に載置されている原稿を読み取り、前記原稿搬送部が原稿を搬送している場合は、停止した状態で、前記原稿搬送部によって前記原稿載置面に搬送されている原稿を読み取る読取部と、
前記原稿載置面に載置される原稿が突き当てられる突き当て部を有し、前記原稿載置面の搬送端部に配置されて、前記原稿搬送部を開放した状態において、前記原稿載置面より突出している昇降可能な昇降部材と、を備え、
前記昇降部材は、前記原稿搬送部が閉じられると閉じられた前記原稿搬送部によって下降して、前記突き当て部は前記原稿載置面より下方に位置する、
ことを特徴とする画像読取装置。
【請求項２】
前記下方に位置した前記昇降部材は、前記原稿搬送部によって前記原稿載置面に搬送された原稿を前記原稿載置面から搬送して排出する方向に案内するガイドを有し、
前記昇降部材が下降した状態で、前記ガイドの原稿案内始端部は前記原稿載置面より低い位置になる、
ことを特徴とする請求項１に記載の画像読取装置。
【請求項３】
前記原稿搬送部の開閉検知手段と、
前記昇降部材を昇降させる昇降駆動手段と、を備え、
前記昇降駆動手段は、前記開閉検知手段が、前記原稿搬送部が解放されていることを検知している場合、前記昇降部材を、前記原稿載置面より突出した位置に上昇させる、
ことを特徴とする請求項１又は２に記載の画像読取装置。
【請求項４】
前記原稿載置面に原稿が載置されているか否かを検知する載置原稿検知手段と、
前記昇降部材を昇降させる昇降駆動手段と、を備え、
前記昇降駆動手段は、前記載置原稿検知手段が原稿を検知していない場合、前記昇降部材が原稿を前記原稿載置面から搬送して排出する方向に案内させることのできる位置に前記昇降部材を下降させる、
ことを特徴とする請求項１又は２に記載の画像読取装置。
【請求項５】
前記原稿搬送部に原稿が積載されているか否かを検知する積載原稿検知手段と、
前記昇降部材を昇降させる昇降駆動手段と、を備え、
前記昇降駆動手段は、前記積載原稿検知手段が原稿を検知した場合、前記昇降部材が原稿を前記原稿載置面から搬送して排出する方向に案内させることのできる位置に前記昇降部材を下降させる、
ことを特徴とする請求項１又は２に記載の画像読取装置。
【請求項６】
前記昇降部材に上昇力を与える弾性部材を備え、
前記昇降部材は、前記原稿搬送部が開放されたとき、前記弾性部材によって上昇し、前記原稿搬送部が閉められたとき、前記原稿搬送部に押圧されて前記弾性部材に抗して下降する、
ことを特徴とする請求項１又は２に記載の画像読取装置。
【請求項７】
前記原稿載置面の原稿搬送方向の下流端部の面に対して接離可能で、原稿の前記下流端部の面を押圧する原稿押圧部材を備えたことを特徴とする請求項１乃至５のいずれか１項に記載の画像読取装置。
【請求項８】
前記原稿載置面の原稿搬送方向の下流端部の面に対して接離可能で、原稿の前記下流端部の面を押圧する原稿押圧部材と、前記原稿押圧部材を昇降させる押圧駆動手段と、を備え、
前記押圧駆動手段は、前記載置原稿検知手段が原稿を検知した場合、前記原稿押圧部材が、前記原稿載置面の原稿を押圧させることのできる位置に前記原稿押圧部材を下降させる、
ことを特徴とする請求項４，６，７のいずれか１項に記載の画像読取装置。
【請求項９】
前記原稿載置面の原稿搬送方向の下流端部の面に対して接離可能で、原稿の前記下流端部の面を押圧する原稿押圧部材と、前記原稿押圧部材を昇降させる押圧駆動手段と、を備え、
押圧駆動手段は、前記積載原稿検知手段が原稿を検知した場合、前記原稿搬送部の原稿を前記原稿載置面から排出する方向に案内させることのできる位置に、前記原稿押圧部材を上昇させる、
ことを特徴とする請求項５乃至７のいずれか１項に記載の画像読取装置。
【請求項１０】
原稿を読み取る画像読取装置と、
前記画像読取装置が読み取った画像情報に基づいて、シートに画像を形成する画像形成部と、を備え、
前記画像読取装置は、請求項１乃至９のいずれか１項に記載の画像読取装置である、
ことを特徴とする画像形成装置。
【発明の詳細な説明】
【技術分野】
【０００１】
本発明は、原稿を読み取る画像読取装置と、この画像読取装置を装置本体に備えた画像形成装置とに関する。
【背景技術】
【０００２】
従来、シートに画像を形成する画像形成装置には、原稿を読み取る画像読取装置を画像形成装置の装置本体に備えて、画像読取装置の画像読取情報に基づいてシートに原稿を複写するようになっているものがある。
【０００３】
画像読取装置としては、特許文献１に記載のものがある。この従来の画像読取装置は、積載トレイに積載された原稿を原稿搬送部でプラテンガラスの中間部分から端部に送り込み、原稿の画像をプラテンガラスの下に位置する画像読取部で読み取った後、積載トレイの上方に位置する排出トレイに排出するようになっている。このときの、原稿の読み取り方を「流し読み」と称する。この場合、画像読取部は、プラテンガラスの中間部分から端部に送り込まれてくる原稿を読み取るため、プラテンガラスの端部（「流し読み端部」とする）の下に停止している。
【０００４】
また、従来の画像読取装置は、ユーザが、原稿搬送部を起こして解放したプラテンガラスの上面に載置した原稿を読み取ることもできるようになっている。このときの、原稿の読み取り方を「固定読み」と称する。この場合、原稿は、プラテンガラスの流し読み端部に対して反対側の端部（「固定読み端部」とする）を積載基準位置としてプラテンガラスに載置される。この場合、画像読取部は、固定読み端部の下に待機し、その位置を基点として、流し読み端部側に移動しながら原稿を固定読みするようになっている。
【先行技術文献】
【特許文献】
【０００５】
【特許文献１】特開２００７−２５９１２９号公報
【発明の概要】
【発明が解決しようとする課題】
【０００６】
しかし、従来の画像読取装置は、流し読みと固定読みとの相互間の切換を行うときに、画像読取部をプラテンガラスの流し読み端部と固定読み端部との間を移動させなければならない。このため、従来の画像読取装置は、流し読みと固定読みとの相互間の切換に時間を要することになる。
【０００７】
また、このように流し読みと固定読みとの相互間の切換に時間を要する画像読取装置を備えた画像形成装置は、画像読取装置で読み取り方の切換えが行われている間、画像情報を受け取ることができず、単位時間当たりのシートの画像形成枚数が少なくなる。
【０００８】
本発明は、流し読みと固定読みとの相互間の切換の時間を短縮した画像読取装置と、この画像読取装置を備えた画像形成装置とを提供することにある。
【課題を解決するための手段】
【０００９】
本発明の画像読取装置は、原稿が載置される原稿載置面を有する原稿載置部と、前記原稿載置面に対して開閉可能で、閉めた状態で前記原稿載置面に向けて原稿を搬送する原稿搬送部と、前記原稿載置面に原稿が載置されている場合は、移動しながら、前記原稿載置面に載置されている原稿を読み取り、前記原稿搬送部が原稿を搬送している場合は、停止した状態で、前記原稿搬送部によって前記原稿載置面に搬送されている原稿を読み取る読取部と、前記原稿載置面に載置される原稿が突き当てられる突き当て部を有し、前記原稿載置面の搬送端部に配置されて、前記原稿搬送部を開放した状態において、前記原稿載置面より突出している昇降可能な昇降部材と、を備え、前記昇降部材は、前記原稿搬送部が閉じられると閉じられた前記原稿搬送部によって下降して、前記突き当て部は前記原稿載置面より下方に位置する、ことを特徴としている。
【００１０】
本発明の画像形成装置は、原稿を読み取る画像読取装置と、前記画像読取装置が読み取った画像情報に基づいて、シートに画像を形成する画像形成部と、を備え、前記画像読取装置は、上記の画像読取装置である、ことを特徴としている。
【発明の効果】
【００１１】
本発明の画像読取装置は、原稿載置面に載置される原稿を、原稿搬送部によって原稿が送り込まれる原稿載置面の端部で、昇降部材の突き当て部によって位置決めするようになっている。
【００１２】
このため、本発明の画像読取装置は、読取部が、原稿載置面に搬送される原稿を停止して読み取る位置と、原稿載置面に載置されている原稿を移動しながら読み取るときの基点となる位置とを同じ位置にすることができる。
【００１３】
したがって、本発明の画像読取装置は、流し読みと固定読みとの相互間の切換の時間を短縮することができて、画像読取を速やかに行うことができる。
【００１４】
本発明の画像形成装置は、流し読みと固定読みとの相互間の切換の時間を短縮した画像読取装置を備えているので、画像読取装置からの読み取り画像情報が途絶える時間が短縮されて、単位時間当たりのシートの画像形成枚数を増加させることができる。
【図面の簡単な説明】
【００１５】
【図１】本発明の実施形態の画像形成装置のシート搬送方向に沿った概略断面図である。
【図２】本発明の実施形態の画像読取装置の原稿搬送方向に沿った断面図である。
【図３】上流読取ヘッドと下流読取ヘッドとの周辺の拡大図である。
【図４】図２の白色ガイド板と、その周辺部分の平面図である。
【図５】原稿を流し読みするときの白色ガイド板の位置を示す図である。
【図６】原稿を固定読みするときの白色ガイド板の位置を示す図である。
【図７】図２のジャンプ台と、その周辺の平面図である。
【図８】原稿搬送部でプラテンガラスを開いたとき、或いは原稿を固定読みするときのジャンプ台の位置を示す図である。
【図９】原稿を流し読みするときのジャンプ台の位置を示す図である。
【図１０】開閉検知センサと載置原稿検知センサの検知動作に基づく、ジャンプ台と白色ガイド板との位置を示す図である。
【図１１】ジャンプ台が原稿搬送部に押されて下降した図である。
【図１２】図１１のジャンプ台の外観斜視図である。
【図１３】ジャンプ台が原稿搬送部の押圧から解放されて上昇した図である。
【発明を実施するための形態】
【００１６】
以下、本発明の実施形態の画像読取装置と、この画像読取装置を装置本体に備えた画像形成装置とを図面に基づいて説明する。
【００１７】
（画像形成装置）
図１は、本発明の実施形態の画像形成装置のシート搬送方向に沿った概略断面図である。画像形成装置１００は、装置本体１００Ａと、装置本体１００Ａに上部に設けられた画像読取装置１とで構成されている。画像読取装置１の詳細な構成及び動作は後述する。
【００１８】
画像読取装置１は、原稿Ｄを光学的に読み取り、その画像情報をデジタル信号としてレーザスキャナ１０２に送る。装置本体１００Ａは、画像読取装置１からの画像情報に基づいて、普通紙やＯＨＰシート等のシートに原稿を複写するようになっている。なお、装置本体１００Ａは、外部のファクシミリやパソコン等から送られてくる画像情報もシートに形成することができるようにもなっている。
【００１９】
画像形成装置１００の装置本体１００Ａの下部には、各種サイズのシートＰを収納した複数のシートカセット１０４（図には１つだけ示して他は省略）が装着されている。シートカセット１０４から搬送ローラ対１０５によって搬送されたシートは、画像形成部１０３の感光ドラム１１０に送られる。感光ドラム１１０は、レーザスキャナ１０２のレーザを照射されて、潜像を形成され、その潜像がトナー現像されてトナー画像として予め形成されている。トナー画像は、シートに転写されて、定着器１０６によってシートに定着される。
【００２０】
シートは、片面に画像を形成されて両面に形成する必要が無い場合、排出ローラ対１０９によって、胴内排出トレイ１２０に排出される。シートは、両面に画像を形成される必要がある場合、スイッチバック搬送によって裏返しにされて、再送パス１０７を搬送され、再度、画像形成部１０３へ送り込まれる。画像形成部１０３でシートは、他方の面にトナー画像を転写され、そのトナー画像を定着器１０６で定着されて排出ローラ対１０９から胴内排出トレイ１２０に排出される。
【００２１】
なお、画像形成装置１００は、シートをシートカセット１０４からだけでなく、マルチトレイ１０８からも搬送できるようになっている。
【００２２】
（画像読取装置１）
図２は、本発明の実施形態の画像読取装置１の原稿搬送方向に沿った断面図である。図３は、上流読取ヘッド５と下流読取ヘッド６との周辺の拡大図である。
【００２３】
画像読取装置１は、原稿搬送部５０、原稿載置部６０、上流読取ヘッド５、読取部としての下流読取ヘッド６及び昇降部材としての昇降可能なジャンプ台６１等を備えている。
【００２４】
原稿載置部６０は、原稿が載置される原稿載置面としてのプラテンガラス１７を有している。原稿搬送部５０は、原稿載置部６０に、プラテンガラス１７を開閉可能に設けられており、プラテンガラス１７を閉めた状態でプラテンガラス１７（図２）の中間部側から下流端部側に向けて原稿を搬送するようになっている。原稿搬送部５０は、図１において、紙面の表側が手前側であり、この手前側を上方に持ち上げると、奥側の蝶番機構５１を支点にして上方に回転し、プラテンガラス１７の上面１７ｃを開放するようになっている。
【００２５】
画像読取装置１は、ユーザによって原稿が積載される原稿積載トレイ２から、画像を読み終えた原稿が排出される原稿排出トレイ３へ原稿を案内する原稿搬送路４の途中に位置する２つの読取ヘッド５，６で原稿の両面を読み取るようになっている。このように、プラテンガラス１７に原稿を送り込んで原稿を読み取る方法を「流し読み」とする。
【００２６】
また、画像読取装置１は、プラテンガラス１７の下を図２に示す実線の位置から破線の位置に矢印Ｃ方向に下流読取ヘッド６を移動させて、プラテンガラス１７に原稿を載置し固定した原稿を読み取ることができるようになっている。このように、プラテンガラス１７に原稿を載置し、原稿を固定した読み方を「固定読み」とする。
【００２７】
画像読取装置１の原稿搬送部５０を説明する。
【００２８】
原稿搬送部５０は、原稿搬送路４を備えている。原稿搬送路４の上流側端部には、原稿積載トレイ２上に積載された原稿を１枚ずつ原稿搬送路４に搬送する、ピックアップローラ７及び分離ローラ対８が配置されている。原稿搬送路４の下流側端部には、原稿搬送路４を搬送されてきた原稿を原稿排出トレイ３へ排出する排出ローラ対９が配置されている。
【００２９】
上流読取ヘッド５は、発光源としてのＬＥＤから発して、原稿で反射した光を、等倍密着型イメージセンサ（ＣＩＳセンサ）、或いはＣＣＤセンサで受光して、原稿の画像を画像データとして読取るようになっている。
【００３０】
上流読取ヘッド５に対向する位置は、上流読取位置Ａである。上流読取位置Ａのやや上流側には、原稿が上流読取ヘッド５に対して所定の間隔を保持して搬送されるように原稿を案内するガイド部材２２（図３）が上流読取ヘッド５に対向する側に設けられている。分離ローラ対８の下流側には、分離ローラ対８によって１枚ずつに分離された原稿を搬送する搬送ローラ対１０が設けられている。搬送ローラ対１０と上流読取位置Ａとの間の原稿搬送路４には、図２の左上方向に凸となる向きに湾曲した湾曲部１４が形成されている。上流読取位置Ａの下流側の原稿搬送路４には、原稿を後述する下流読取位置Ｂへ向けて搬送する搬送ローラ対１３が配置されている。また、原稿搬送路４の搬送ローラ対１３の下流側の下部には、シェーディング補正に用いられる標準白板２５がプラテンガラス１７に接触するように設けられている。上流読取位置Ａからガイド部材２３、標準白板２５までの間の原稿搬送路４には、原稿をプラテンガラス１７に沿って案内できるように湾曲部１２が形成されている。
【００３１】
後述する下流読取位置Ｂに対向する原稿搬送路４の部分は、切断されている。その切断された部分に、図３乃至図６に示す、白色ガイド板６７が位置している。白色ガイド板６７は、中間部分が下方に突出し、上流端と下流端とが上方に反った形状をして、原稿搬送部５０に設けられている。原稿押圧部材としての白色ガイド板６７は、プラテンガラスの原稿搬送方向の搬送端部としての下流端部１７ｂの面に対して、ラック６７ａとピニオン７１とによって昇降して接離可能になっている。ピニオン７１は、原稿搬送部５０に回転自在に設けられた支持軸７２を中心にしてガイド板モータ７３によって回転するようになっている。ガイド板モータ７３の回転力は、図４に示す、出力ギア７４、歯付きベルト７５、従動ギア７６を介してピニオン７１に伝達されるようになっている。ラック６７ａ、ピニオン７１及びガイド板モータ７３等は、白色ガイド板６７を昇降させる押圧駆動手段としてのガイド板昇降部８０を構成している。
【００３２】
ガイド板昇降部８０は、後述する積載原稿検知センサ６８が原稿積載トレイ２に原稿が積載されていることを検知して、画像読取装置１が原稿を流し読みするとき、白色ガイド板６７とプラテンガラス１７との間に隙間Ｇ（図５）を形成するようになっている。このため、白色ガイド板６７は、流し読みのとき、プラテンガラス１７の下流端部１７ｂ上を通過する原稿がプラテンガラス１７から浮き上がらないように案内することができる。
【００３３】
また、ガイド板昇降部８０は、後述する載置原稿検知センサ６６がプラテンガラスに原稿が載置されていることを検知して、画像読取装置１が原稿を固定読みするとき、白色ガイド板６７で原稿をプラテンガラス１７に押し付ける（図６）ようになっている。このため、白色ガイド板６７は、固定読みのとき、プラテンガラス上で原稿の浮き上がりと、位置ずれを防止できるようになっている。
【００３４】
このように、画像読取装置１は、白色ガイド板６７が、流し読みのときも固定読みのときも、プラテンガラス１７から原稿Ｄが浮き上がるのを防止するようになっているので、画像読取精度を向上させることができる。
【００３５】
なお、白色ガイド板６７は、ガイド板モータ７３の代わりにプランジャで昇降するようになっていてもよい。
【００３６】
白色ガイド板６７の下流側の原稿搬送路４は、原稿排出トレイ３に向けて、上方に湾曲しており、その途中に搬送ローラ対１１が設けられている。
【００３７】
原稿搬送部５０は、プラテンガラス１７を開閉できるようになっている。このため、原稿搬送部５０は、プラテンガラス１７にユーザによって載置された原稿をプラテンガラス１７に密着させるために、下部に、弾性を有する原稿押圧部材１９を介して弾性を有する白色圧板１８が設けられている。白色圧板１８の左端は、搬送ローラ対１３の近くに位置し、右端は原稿載置部６０の右端に位置して、プラテンガラス１７の殆どを覆うようになっている。
【００３８】
原稿搬送部５０の開閉は、原稿搬送部５０に設けられた開閉検知手段としての開閉検知センサ７０（図２）によって検知されるようになっている。なお、開閉検知センサ７０は、原稿載置部６０に設けられていてもよい。すなわち、開閉検知センサ７０は、原稿搬送部５０と原稿載置部６０との少なくとも一方に設けられていればよい。
【００３９】
原稿搬送部５０は、プラテンガラス１７を閉じた状態で、プラテンガラス１７に原稿が載置されているか否かを検知する載置原稿検知手段としての載置原稿検知センサ６６を有している。載置原稿検知センサ６６が設けられている原稿押圧部材１９（図３）と、白色圧板１８とには、載置原稿検知センサ６６の検知光をプラテンガラス１７に届かせる光透過孔６６ａが形成されている。
【００４０】
また、原稿搬送部５０は、原稿積載トレイ２に原稿が積載されているか否かを検知する積載原稿検知手段としての積載原稿検知センサ６８を有している。積載原稿検知センサ６８が設けられている原稿搬送部５０には、積載原稿検知センサ６８の検知光を原稿積載トレイ２上の原稿Ｄに届かせるための光透過孔６８ａが形成されている。
【００４１】
画像読取装置１の原稿載置部６０を説明する。
【００４２】
原稿載置部６０は、上部にプラテンガラス１７を有している。プラテンガラス１７は、原稿載置部６０の上部を殆ど覆うように設けられている。
【００４３】
プラテンガラス１７（図３）の下方には、下流読取ヘッド６がガイド軸６９を案内にして図１、図２の左右方向（原稿搬送部５０の原稿搬送方向）に移動自在に設けられている。下流読取ヘッド６は、原稿搬送部５０がプラテンガラス１７を閉めた状態でプラテンガラス１７の中間部１７ａ側から端部１７ｂ側に向けて原稿を搬送したとき、原稿がプラテンガラスを通過する真下のホームポジションに停止している。図３は、下流読取ヘッド６がホームポジションに停止しているときの図である。ホームポジションに停止しているときの下流読取ヘッド６に対向するプラテンガラス１７の部分、すなわち、端部１７ｂは、下流読取位置Ｂである。また、この位置には、白色ガイド板６７が対向している。
【００４４】
下流読取ヘッド６（図１）は、発光体９１から発光されて原稿で反射した光を、反射板９２，９３，９４を介して、レンズ９５に送るようになっている。レンズ９５に送られた反射光は、光電変換素子９６によって電気信号に変換され、画像信号としてレーザスキャナ１０２に送られる。
【００４５】
下流読取ヘッド６は、プラテンガラス１７に原稿がユーザによって載置されている場合、その原稿を、図２の実線の下流読取位置Ｂから破線の位置に矢印Ｃ方向に移動しながら読み取り、その後、下流読取位置Ｂに戻るようになっている。この読み取り方は、プラテンガラス１７に固定されている原稿を読み取るため、固定読みである。なお、図２の矢印Ｃ方向は、原稿を読み取るときの副走査方向である。
【００４６】
また、下流読取ヘッド６は、プラテンガラス１７に原稿が載置されていない場合、原稿搬送部５０によってプラテンガラス１７に搬送される原稿を下流読取位置Ｂに移動停止した状態で読み取るようになっている。この読み方は、プラテンガラス１７に原稿が搬送されるので、流し読みである。
【００４７】
このように、下流読取ヘッド６は、固定読みのとき、下流読取位置Ｂから図２の右端の破線の位置に移動しながら原稿を読み取り、流し読みのとき、下流読取位置Ｂに移動停止した状態で原稿を読み取るようになっている。
【００４８】
図３、図７乃至図９に示すように、プラテンガラス１７の端部１７ｂには、端部１７ｂに沿って昇降するジャンプ台６１が配置されている。ジャンプ台６１は、ジャンプ台６１に形成されたラック６１ａにピニオン６４が噛合し、ピニオン６４がジャンプ台モータ６２（図７）によって回転することによって昇降するようになっている。ピニオン６４は、原稿載置部６０に回転自在に設けられた支持軸６５に設けられており、ジャンプ台６１を昇降させジャンプ台モータ６２の回転力を、出力ギア６３を介して伝達されて、回転するようになっている。ラック６１ａ、ピニオン６４及びジャンプ台モータ６２等は、ジャンプ台を昇降させる昇降駆動手段としてのジャンプ台昇降部８１を構成している。
【００４９】
また、ジャンプ台６１は、図８に示すように上昇してプラテンガラス１７より突出した状態で、プラテンガラス１７に載置される原稿を受け止める機能をするストッパ６１ｂを有している。また、ジャンプ台６１は、図９に示すように下降した状態において、原稿搬送部５０によってプラテンガラス１７に搬送された原稿をプラテンガラス１７から原稿搬送部５０の内部に案内する機能をするガイド６１ｃを有している。すなわち、ガイド６１ｃは、原稿をプラテンガラス１７から排出方向に案内をする。
【００５０】
さらに、ジャンプ台６１は、下降した状態で、ストッパ６１ｂと、ガイド６１ｃの原稿案内始端部６１ｄとが、プラテンガラス１７と同一の高さ以下（プラテンガラス１７より低い高さが好ましい）に位置するようになっている。これによって、流し読みする原稿が、プラテンガラス１７からジャンプ台６１のガイド６１ｃに搬送されるとき、ジャンプ台６１のストッパ６１ｂに当接して詰まることを防止することができる。
【００５１】
なお、ジャンプ台６１は、ジャンプ台モータ６２の代わりにプランジャによって昇降するようになっていてもよい。
【００５２】
画像読取装置１は、制御部としてのＣＰＵ１３０の制御によって作動するようになっている。図１に示すように、ＣＰＵ１３０には、白色ガイド板６７を昇降させるガイド板モータ７３、ジャンプ台６１を昇降させるジャンプ台モータ６２、載置原稿検知センサ６６、積載原稿検知センサ６８、開閉検知センサ７０等が接続されている。
【００５３】
画像読取装置１の動作を説明する。
【００５４】
原稿搬送部５０が、ユーザによって、起こされてプラテンガラス１７が解放された状態にある場合（図１０（１）の欄参照）、開閉検知センサ７０は、原稿載置部６０を検知していない（ＯＦＦ）。また、載置原稿検知センサ６６は、仮に、プラテンガラスに原稿が載置されていたとしても、プラテンガラスから離れているため、何も検知していない状態にある（ＯＦＦ）。この場合、ＣＰＵ１３０は、ジャンプ台６１が図８に示すようにストッパ６１ｂがプラテンガラス１７の上面１７ｃよりも上方に突出するようにジャンプ台モータ６２を作動させる。また、ＣＰＵ１３０は、白色ガイド板６７が図５に示すように、プラテンガラス１７との間に隙間Ｇを開けることのできる位置に位置するようにガイド板モータ７３を作動させる。すなわち、ＣＰＵ１３０は、ジャンプ台６１と白色ガイド板６７とを上昇位置に保持する。
【００５５】
流し読みの動作を説明する。
【００５６】
流し読みの場合（図１０（２）の欄参照）、プラテンガラス１７には、原稿が載置されていない状態でプラテンガラス１７が原稿搬送部５０によって閉められている。この状態において、開閉検知センサ７０は、原稿載置部６０を検知して、プラテンガラスが閉められていることを検知する（ＯＮ）。また、載置原稿検知センサ６６の検知光は、プラテンガラス１７に原稿が載置されていないため、光透過孔６６ａを通過し、プラテンガラス１７も通過する。このため、載置原稿検知センサ６６は、ＯＦＦの状態になっている。この場合、ＣＰＵ１３０は、ジャンプ台６１を図８に示すホームポジションから、図９に示すようにストッパ６１ｂがプラテンガラス１７の上面１７ｃと同一以下の高さの位置に下降させる。しかし、ＣＰＵ１３０は、ガイド板モータ７３を作動させない。このため、白色ガイド板６７は、図５に示すように、プラテンガラス１７との間に隙間Ｇを開けた上昇位置に保持されている。
【００５７】
このような状態において、原稿積載トレイ２に原稿が積載されると、積載原稿検知センサ６８の検知光は、光透過孔６８ａを通過し原稿積載トレイ２上に積載されている原稿で反射する。このため、積載原稿検知センサ６８が、原稿積載トレイ２に原稿が積載されたことを検知して、ＯＦＦからＯＮに変わるため、ＣＰＵ１３０は、画像読取装置を作動させる。すると、原稿積載トレイ２に積載されている原稿は、ピックアップローラ７によって原稿搬送路４に供給され、分離ローラ対８によって重送（原稿が重なって送られるの）を防止されて１枚だけ下流側へ搬送される。そして、原稿は、搬送ローラ対１０によって搬送力を与えられ、湾曲部１４において原稿搬送路４を経て、上流読取位置Ａへ搬送される。原稿の搬送方向において上流読取位置Ａの上流側に搬送ローラ対１０と湾曲部１４とガイド部材２２とがこの順序で配置されている。このため、上流読取位置Ａを通過する原稿は、上流読取位置Ａにおいて、常に、原稿搬送路４の上側の内壁面から一定の距離離れた位置に沿って搬送される。しかも、上流読取ヘッド５の焦点を原稿に合わせることができて、上流読取ヘッド５による、原稿の第１面の画像の読み取りが正確になり、画像データの読み取り精度を高めることができる。
【００５８】
上流読取位置Ａで第１面の画像を読取られた原稿は、搬送ローラ対１３によって搬送力を与えられ、湾曲部１２において原稿搬送路４の下側の内壁面に当接しながらさらに下流側へ向けて搬送される。原稿の搬送方向において下流読取位置Ｂの上流側に搬送ローラ対１３と湾曲部１２とガイド部材２３がこの順序で配置されている。このため、下流読取位置Ｂを通過する原稿は、下流読取位置Ｂにおいて、常に、原稿搬送路４中の下側の内壁面から一定の距離離れた位置に沿って搬送される。しかも、下流読取位置Ｂに停止している下流読取ヘッド６の焦点を原稿に合わせることができて、下流読取ヘッド６による、原稿の第２面の画像の読み取りが正確になり、画像データの読み取り精度を高めることができる。
【００５９】
そして、画像読取装置１は、上流読取ヘッド５及び下流読取ヘッド６のそれぞれに対して標準白板２４，２５を配置して、シェーディング補正を行っているので、原稿の表裏両面について高品位な画像データを取得することができる。
【００６０】
下流読取ヘッド６の上を通過した原稿は、ジャンプ台６１を通過する。このとき、ジャンプ台６１は図３、図９のようにストッパ６１ｂがプラテンガラス１７の上面１７ｃより低い位置にいる。このため、原稿は、ストッパ６１ｂに当接することなく、ジャンプ台のガイド６１ｃに掬い上げられながら、原稿搬送路４の湾曲部１２から、原稿搬送部内に向きを変えられて、搬送ローラ対１１によって搬送される。最後、原稿は、排出ローラ対９によって、原稿排出トレイ３に排出される。
【００６１】
固定読みの動作を説明する。
【００６２】
固定読みの場合、最初、ユーザによって、原稿搬送部５０が起こされてプラテンガラス１７が解放された状態にあり（図１０（１）の欄参照）、開閉検知センサ７０は、原稿載置部６０を検知していない（ＯＦＦ）。また、載置原稿検知センサ６６は、プラテンガラスに原稿が載置されているが、プラテンガラスから離れているため、何も検知していない状態にある（ＯＦＦ）。この場合、ＣＰＵ１３０は、ジャンプ台６１が図８に示すようにストッパ６１ｂがプラテンガラス１７の上面１７ｃよりも上方に突出するようにジャンプ台モータ６２を作動させる。また、ＣＰＵ１３０は、白色ガイド板６７が図５に示すように、プラテンガラス１７との間に隙間Ｇを開けることのできる位置に位置するようにガイド板モータ７３を作動させる。すなわち、ＣＰＵ１３０は、ジャンプ台６１と白色ガイド板６７とを上昇位置に保持している。
【００６３】
この状態で、ユーザは、プラテンガラス１７に原稿を載置する。原稿は、ジャンプ台の突き当て部としてのストッパ６１ｂに突き当てられて、位置決めされる。このとき、原稿は、プラテンガラス１７の枠２０（図７）にも突き当てられる。ストッパ６１ｂと枠２０は、互いに直角の配置関係になっている。
【００６４】
画像読取装置は、固定読みのとき、プラテンガラス１７に原稿を載置するため、プラテンガラスを開放すると、ジャンプ台のストッパ６１ｂがプラテンガラスの上面１７ｃより上方に突出するので、原稿をストッパに付き当てて位置決めをすることができる。
【００６５】
その後、ユーザが、原稿搬送部５０でプラテンガラス１７を閉める（図１０（３）の欄参照）。すると、開閉検知センサ７０は、原稿載置部６０を検知して、プラテンガラスが閉められたことを検知する（ＯＮ）。また、載置原稿検知センサ６６の検知光は、光透過孔６６ａを通過して、プラテンガラス１７に載置されている原稿で反射される。このため、載置原稿検知センサ６６は、原稿を検知して、ＯＦＦからＯＮに変わる。ＣＰＵ１３０は、ジャンプ台６１は、上昇したままの位置に保持するが、ガイド板モータ７３を作動させて、白色ガイド板６７を下降させ、白色ガイド板６７で原稿をプラテンガラスの端部１７ｂに押さえつける。この場合、上昇したままのジャンプ台６１と下降する白色ガイド板６７とは干渉しない形状に形成されている。
【００６６】
その後、ユーザが画像形成装置１００の操作パネル１１１のスタート釦を押す。すると、ＣＰＵ１３０は、下流読取ヘッド６の不図示の駆動源を作動させて、下流読取ヘッド６を図２の実線の位置から破線の位置の方へ（矢印Ｃ方向に）、原稿のサイズに応じた長さだけ移動させる。この間に、下流読取ヘッド６は、プラテンガラス１７に載置されている原稿を読み取る。
【００６７】
このように、下流読取ヘッド６は、固定読みのとき、移動を開始する基点と、流し読みのときの停止位置と同じであり、流し読みから固定読みに変わるとき、或いは固定読みから流し読みに変わるとき、位置を変える必要がない。よって、画像読取装置１は、流し読みと固定読みとの相互間の切換の時間を短縮することができて、画像読取を速やかに行うことができる。
【００６８】
また、白色ガイド板６７が原稿をプラテンガラスの端部１７ｂに押さえ付けているので、原稿の縁がまくれ上がることがなく、下流読取ヘッド６は、原稿の縁からの読み取り精度を向上させることができる。
【００６９】
以上の説明において、白色ガイド板６７は、固定読みのとき下降して原稿をプラテンガラス１７に押し付けるようになっているが、隙間Ｇを保持した位置に固定されていてもよく、必ずしも昇降するようになっている必要はない。
【００７０】
以上の画像読取装置１は、センサの検知動作に基づいてモータを作動させて、ジャンプ台を昇降させていたが、次に説明する画像形成装置２００は、原稿搬送部２５０の開閉動作とばね２８０の弾力とによって、ジャンプ台が昇降するようになっている。
【００７１】
図１１において、画像形成装置２００の画像読取装置２０１は、図１、図２の画像読取装置１と比較するとジャンプ台２６１の構成が異なっている。このため、ジャンプ台２６１の周辺について説明し、他の部分の説明及び図示を省略する。
【００７２】
ジャンプ台２６１は、原稿載置部２６０のプラテンガラス１７の端部１７ｂと原稿載置部２６０のフレーム２６０Ａとの間に形成された長孔２７０を案内にして昇降するようになっている。長孔２７０は、原稿搬送方向（矢印Ｅ方向）に対して交差する主走査方向に沿って形成されている。このジャンプ台２６１にも、ストッパ２６１ｂとガイド２６１ｃとが形成されている。
【００７３】
図１２に示すように、ジャンプ台２６１は、両端に、ジャンプ台２６１に上昇力を与える弾性部材としてのばね２８０を収納する収納部２８１を一体に有している。収納部２８１は、原稿の通過領域の両脇に位置して、原稿の通過の妨げにならないようになっている。
【００７４】
原稿搬送部２５０の原稿搬送路２０４には、原稿搬送部２５０がプラテンガラス１７を閉めたとき、収納部２８１の頭部２８１ａに当接する突起２０５が下向きに突設されている。突起２０５は、搬送ローラ対１１の上流側に位置している。ばね２８０と突起２０５等は、ジャンプ台昇降部２８２を構成している。
【００７５】
このような構成において、図１１に示すように、原稿搬送部２５０でプラテンガラス１７を閉めると、突起２０５が収納部２８１の頭部２８１ａに当接して、ばね２８０に抗して収納部２８１及びジャンプ台２６１が押し下げられるようになっている。
【００７６】
このような構成において、ユーザによって、原稿搬送部２５０が起こされてプラテンガラス１７が解放された場合（図１３）、ジャンプ台２６１がばね２８０によって押し上げられて、原稿案内始端部２６１ｄがプラテンガラスの上面１７ｃより上方に突出する。このため、ジャンプ台のストッパ２６１ｂの一部分がプラテンガラスの上面１７ｃより上方に突出している。
【００７７】
図１３に示す状態から、原稿搬送部２５０でプラテンガラス１７を閉めると、突起２０５が収納部２８１の頭部２８１ａを押圧する。すると、ジャンプ台２６１がばね２８０に抗して下降し、ストッパ２６１ｂと、ガイド２６１ｃの原稿案内始端部２６１ｄとが、プラテンガラス１７と同一の高さ以下（プラテンガラス１７より低い高さが好ましい）の、図１１に示す位置に下降する。
【００７８】
固定読みする場合、図１３に示すように、原稿搬送部２５０がユーザによって起こされて、プラテンガラス１７が解放され、ジャンプ台のストッパ２６１ｂの一部分がプラテンガラスの上面１７ｃより上方に突出した状態で、ストッパ２６１ｂに原稿を突き当てる。これによって、原稿は、プラテンガラス１７上に位置決めされる。
【００７９】
そして、原稿搬送部２５０でプラテンガラス１７を閉めると、図１１に示すように、ジャンプ台２６１が突起２０５に押されて下降する。このとき、原稿は、図３に示す白色圧板１８によってプラテンガラスの上面１７ｃに押し付けられるので、位置がずれるようなことがほとんどない。その後、図２に示す下流読取ヘッド６が図２に示す位置から、矢印Ｃ方向に原稿のサイズに応じた位置に移動しながら、原稿を読み取る。
【００８０】
このように、画像読取装置２０１は、突き当て部としてのストッパ２６１ｂに位置決めされた原稿を読み取るので、読取精度を向上させることができる。
【００８１】
流し読みする場合、図１１に示すように、プラテンガラスが原稿搬送部によって閉められて、ジャンプ台２６１が下降した状態で、搬送ローラ対１３，１１が、原稿をプラテンガラスの端部１７ｂ上を通過させる。このとき、ジャンプ台２６１は図１１のようにストッパ２６１ｂがプラテンガラス１７の上面１７ｃより低い位置にいるため、原稿は、ストッパ２６１ｂに当接することなく、ジャンプ台のガイド２６１ｃに掬い上げられながら搬送される。すなわち、ガイド２６１ｃは、原稿をプラテンガラス１７から排出する方向に案内する。この状態で下流読取ヘッド６が下流読取位置Ｂで原稿を読み取る。
【００８２】
以上の画像読取装置２０１においても、下流読取ヘッドは、固定読みのとき、移動を開始する基点と、流し読みのときの停止位置と同じであり、流し読みから固定読みに変わるとき、或いは固定読みから流し読みに変わるとき、位置を変える必要がない。よって、画像読取装置２０１は、流し読みと固定読みとの相互間の切換時間を短縮することができて、画像読取を速やかに行うことができる。
【００８３】
また、画像形成装置は、流し読みと固定読みとの相互間の切換時間を短縮した画像読取装置を備えているので、画像読取装置からの読み取り画像情報が途絶える時間が短縮されて、単位時間当たりのシートの画像形成枚数を増加させることができる。
【符号の説明】
【００８４】
１：画像読取装置、２：原稿積載トレイ、３：原稿排出トレイ、５：上流読取ヘッド、６：下流読取ヘッド（読取部）、１７：プラテンガラス（原稿載置面）、１７ａ：プラテンガラスの中間部、１７ｂ：プラテンガラスの端部（搬送端部）、１７ｃ：プラテンガラス１７の上面、１８：白色圧板（原稿押圧板）、５０：原稿搬送部、６０：原稿載置部、６１：ジャンプ台（昇降部材）、６１ｂ：ジャンプ台のストッパ（突き当て部）、６１ｃ：ジャンプ台のガイド、６１ｄ：ジャンプ台の原稿案内始端部、６６：載置原稿検知センサ（載置原稿検知手段）、６７：白色ガイド板（原稿押圧部材）、８０：ガイド板昇降部（押圧駆動手段）、６８：積載原稿検知センサ（積載原稿検知手段）、７０：開閉検知センサ（開閉検知手段）、８１：ジャンプ台昇降部（昇降駆動手段）１００：画像形成装置、１００Ａ：装置本体、１０３：画像形成部、１３０：ＣＰＵ、２００：画像形成装置、２０１：画像読取装置、２０５：突起、２５０：原稿搬送部、２６０：原稿載置部、２６１：ジャンプ台（昇降部材）、２６１ｂ：ジャンプ台のストッパ（突き当て部）、２６１ｃ：ジャンプ台のガイド、２６１ｄ：ジャンプ台の原稿案内始端部、２８０：ばね（弾性部材）、２８２：ジャンプ台昇降部、
Ａ：上流読取位置、Ｂ：下流読取位置、Ｃ：矢印、Ｄ：原稿、Ｅ：原稿搬送方向、Ｐ：シート。
【図１】
2014011684.tif 000003
【図２】
2014011684.tif 000004
【図３】
2014011684.tif 000005
【図４】
2014011684.tif 000006
【図５】
2014011684.tif 000007
【図６】
2014011684.tif 000008
【図７】
2014011684.tif 000009
【図８】
2014011684.tif 000010
【図９】
2014011684.tif 000011
【図１０】
2014011684.tif 000012
【図１１】
2014011684.tif 000013
【図１２】
2014011684.tif 000014
【図１３】
2014011684.tif 000015